(57)【特許請求の範囲】
【請求項１】
チューナを装着した回路基板と、前記回路基板を取り付ける金属製シャーシを備え、
前記チューナは、そのケース側面から突出した金属製スリーブが前記回路基板の縁から突き出すように前記回路基板に装着されており、
前記スリーブには金属製アースプレートが嵌合され、
前記アースプレートには、当該アースプレートが前記スリーブに嵌合した状態で前記シャーシの表面にあてがわれ、前記回路基板が前記シャーシにビス止め固定されることにより前記シャーシに弾性接触する可撓性の脚部が形成されていることを特徴とするチューナのアース構造。
【請求項２】
前記アースプレートに形成された前記スリーブ挿通用貫通穴の内縁に、前記スリーブの外面に弾性接触する舌片が形成されていることを特徴とする請求項１に記載のチューナのアース構造。
【請求項３】
前記アースプレートの脚部は、一方の側で斜めに延びる脚片と、それと反対の側で斜めに延びる脚片を備えていることを特徴とする請求項１または２に記載のチューナのアース構造。
【発明の詳細な説明】
【技術分野】
【０００１】
本発明は電子機器におけるチューナのアース構造に関する。
【背景技術】
【０００２】
チューナあるいは高周波回路を有する電子機器においては、不要輻射を低減するため、これまでにも様々なアース構造が工夫されてきた。その例を特許文献１−３に見ることができる。
【０００３】
特許文献１には、チューナの基板に面した導電部の足と基板の導電部とをアースさせて第1アースとし、基板に面していないチューナの導電部と基板以外の導電部とをリード線を介した配線によってアースさせて第２アースとしたチューナのアース構造が記載されている。
【０００４】
特許文献２には、弾性舌片を有するアース板体を金属枠内に設けられたプリント基板支持用の金属フレームの係合片に取り付け、前記金属枠体に被嵌された金属製シールドカバーに前記弾性舌片を当接させたチューナのシールドケースが記載されている。
【０００５】
特許文献３には、プリント基板の下面にパターン形成されているアース導体膜が下シールド箱の基板コンタクト部に接触し、上シールド箱の側面内側が下シールド箱の箱間コンタクト部に当接して、両シールド箱により高周波回路ブロックの上下空間が遮蔽される電子回路機器の実装構造が記載されている。
【特許文献１】特開２００５−２９５０２０号公報
【特許文献２】実開昭６３−１４７８９６号公報
【特許文献３】特開平８−１０７２８６号公報
【発明の開示】
【発明が解決しようとする課題】
【０００６】
チューナを装着した回路基板を金属製シャーシに取り付ける場合、チューナとシャーシの間のアースをとる必要がある。従来は、チューナを回路基板にビスで固定する際、金属製アースプレートの一端をチューナに嵌めて共締めで回路基板に固定し、アースプレートの他端をシャーシに接触させていた。この構成だとアースプレートは回路基板の縁からビス止め部まで届く長さを有していなければならず、アースプレートが大型化し、またアースプレートの形状も複雑なものとなっていた。
【０００７】
本発明は上記の点に鑑みなされたものであり、チューナを装着した回路基板を金属製シャーシに取り付けるにあたり、チューナとシャーシの間のアース接続を容易に、且つ確実に実現できるようにすることを目的とする。
【課題を解決するための手段】
【０００８】
上記目的を達成するために本発明は、チューナを装着した回路基板と、前記回路基板を取り付ける金属製シャーシを備え、前記チューナは、そのケース側面から突出した金属製スリーブが前記回路基板の縁から突き出すように前記回路基板に装着されており、前記スリーブには金属製アースプレートが嵌合され、前記アースプレートには、当該アースプレートが前記スリーブに嵌合した状態で前記シャーシの表面にあてがわれ、前記回路基板が前記シャーシにビス止め固定されることにより前記シャーシに弾性接触する可撓性の脚部が形成されていることを特徴としている。
【０００９】
この構成によると、アースプレートは、回路基板の縁から突き出したチューナのスリーブ部分とシャーシとの間隔を埋められる大きさのものであれば良く、アースプレートを徒に大型化しなくて済む。アースプレートの形状も単純化できる。また、スリーブにアースプレートを嵌合しておいて回路基板をシャーシにビス止めすればチューナはシャーシにアース接続されるから、アースをとる作業が簡単化される。
【００１０】
本発明は、上記構成のチューナのアース構造において、前記アースプレートに形成された前記スリーブ挿通用貫通穴の内縁に、前記スリーブの外面に弾性接触する舌片が形成されていることを特徴としている。
【００１１】
この構成によると、スリーブとアースプレートの電気的接続を確実に形成し、維持することができる。
【００１２】
本発明は、上記構成のチューナのアース構造において、前記アースプレートの脚部は、一方の側で斜めに延びる脚片と、それと反対の側で斜めに延びる脚片を備えていることを特徴としている。
【００１３】
この構成によると、アースプレートがシャーシに押し当てられた際、アースプレートが一方向に倒れないので、アースプレートがスリーブから外れるといった事態を招かずに済む。
【発明の効果】
【００１４】
本発明によると、チューナに組み合わせるアースプレートを比較的小型で単純な形状のものにできるうえ、回路基板をシャーシに取り付ける作業を通じてアース接続を確立できるので、アース接続作業が容易で、工数も少なくて済む。
【発明を実施するための最良の形態】
【００１５】
以下、図１−５に基づき本発明の実施形態を説明する。図１はシャーシに回路基板を取り付けた状態の斜視図、図２はシャーシ、回路基板、及びアースプレートを分解状態で示す斜視図、図３はアースプレートの斜視図、図４は変形態様のアースプレートの斜視図、図５は図４のアースプレートを用いた場合の作用説明図である。
【００１６】
図１において、１は金属製のシャーシである。シャーシ１は板金の縁を折り曲げて平面形状矩形の浅皿を形成し、その天地を反転した形状のものである。シャーシ１の天面の所々には回路基板２をビス３で固定するためのビス止め台座４がエンボス加工されている。ビス止め台座４は円錐台形状であり、その高さの分だけ回路基板２はシャーシ１から持ち上げられて支持される。
【００１７】
回路基板２の上面にはチューナ５が装着される。チューナ５は直方体形状の金属製ケース５ａを有し、ケース５ａの一側面から円筒形の金属製スリーブ５ｂが水平に突き出している。スリーブ５はＲＦ端子として用いられるものであり、外面にはねじ溝が形成されている。チューナ５は、スリーブ５ｂを基板の縁から突き出す形で、図示しないビスにより回路基板２に固定される。
【００１８】
チューナ５とシャーシ１をアース接続するのが金属製のアースプレート１０である。アースプレート１０は薄い板金をプレス加工したものであり、図３に示す構造を備える。アースプレート１０の主部である垂直板部１１にはスリーブ５ｂを挿通させる貫通穴１２が設けられている。貫通穴１２の内縁には、スリーブ５ｂの外面に弾性接触する舌片１３が３個、１２０°間隔で切り起こし成形されている。舌片１３の先端は一方向に折り曲げられている。
【００１９】
垂直板部１１の下端には可撓性の脚部１４が一体形成されている。図３の実施形態では、垂直板部１１から直角よりもやや斜め下を向く角度で突き出した４個の脚片１５が脚部１４を構成する。図４の変形実施態様では、同じく４個の脚片１５が脚部１４を構成するものの、脚片１５のうち２個は垂直板部１１の一方の側で斜めに延び、残りの２個は垂直板部１１の他方の側で斜めに延びている。脚片１５の長さと角度はどちらの側でも同じである。
【００２０】
回路基板２をシャーシ１に取り付けるに先立ち、アースプレート１０をチューナ５のスリーブ５ｂに嵌合する。前述の通り舌片１３の先端は一方向に折り曲げられているので、折り曲げられていない側からスリーブ５ｂを貫通穴１２に通す。スリーブ５ｂは舌片１３を弾性接触させつつスムーズに貫通穴１２に入って行く。嵌合後は舌片１３の折り曲げ部の先端がスリーブ５ｂのねじ溝に引っかかるので、アースプレート１０がスリーブ５ｂから簡単に外れることはない。
【００２１】
貫通穴１２の横にはビス穴１６が設けられている。アースプレート１０をケース５ａに当たるところまで押し込んだ後、ビス穴１６を通じて図示しないビスをケース５ａにねじ込み、アースプレート１０のチューナ５に対する固定を完全なものにする。
【００２２】
上記のようにしてチューナ５にアースプレート１０を取り付けた回路基板２をシャーシ１の上に置くと、アースプレート１０の脚部１４がシャーシ１の表面にあてがわれることになる。ビス３を回路基板２に通してビス止め台座４にねじ込むと、締め付けが進むにつれアースプレート１０がシャーシ１に押し付けられ、脚部１４がシャーシ１に弾性接触する。これにより、チューナ５はシャーシ１にアース接続される。
【００２３】
アースプレート１０が図４の形状のものであると、図５に示すように垂直板部１１の両側で均等に押し上げ力が発生する。このため、同図に横向きの矢印で示すような、アースプレート１０を一方向に倒そうとする力が働かず、スリーブ５ｂとアースプレート１０の組み合わせが力学的に不安定になることがない。
【００２４】
以上本発明の実施形態につき説明したが、発明の主旨を逸脱しない範囲でさらに種々の変更を加えて実施することができる。
【産業上の利用可能性】
【００２５】
本発明はチューナを有する電子機器に利用可能である。
【図面の簡単な説明】
【００２６】
【図１】シャーシに回路基板を取り付けた状態の斜視図
【図２】シャーシ、回路基板、及びアースプレートを分解状態で示す斜視図
【図３】アースプレートの斜視図
【図４】変形態様のアースプレートの斜視図
【図５】図４のアースプレートを用いた場合の作用説明図
【符号の説明】
【００２７】
１    シャーシ
２    回路基板
３    ビス
４    ビス止め台座
５    チューナ
５ａ  ケース
５ｂ  スリーブ
１０  アースプレート
１２  貫通穴
１３  舌片
１４  脚部
１５  脚片
【図１】
0004380749.tif 000002
【図２】
0004380749.tif 000003
【図３】
0004380749.tif 000004
【図４】
0004380749.tif 000005
【図５】
0004380749.tif 000006